(57)【要約】      （修正有）【課題】保冷剤を入れ替えて使用できる首巻き保冷具を提供する。【解決手段】面ファスナー１０７、１０８により着脱できるベルト部材１００と、ベルト部材に取り付けられる複数個のポケット１０２とを有し、ポケットの上部に保冷剤の挿入開口部１０４を持つことを特徴とした首部に巻く保冷具１０。【選択図】図１
2020185235.tif 000002
【特許請求の範囲】
【請求項１】
面ファスナーにより着脱できるベルト部材と、前記ベルト部材に取り付けられる複数個のポケットとを有し、前記ポケットの上部に保冷剤の挿入開口部を持つことを特徴とした首部に巻く保冷具。
【請求項２】
請求項１の保冷具において、繊維で出来たベルト部材に、上部より保冷剤を入れるための開口を成すように伸縮性を持つ繊維を縫合して複数個の縦長のポケットを作り、前記ベルト部材に取り付けられた面ファスナーにより着脱ができることを特徴とした首部に巻く保冷具。
【請求項３】
請求項１の保冷具において、両端に面ファスナーが付けられた繊維で出来たベルト部材と、前記ベルト部材と取り外しができる上部に保冷剤を入れるための開口を持つ伸縮性のある繊維で出来た複数個の縦長のポケットを持つ部材とで構成され、前記ベルト部材に取り付けられた面ファスナーで着脱できることを特徴とした首部に巻く保冷具。
【請求項４】
請求項２又は請求項３の保冷具において、ベルト部材の一部又は全部に伸縮性を持つ生地あるいは弾性を持つ繊維を使用したことを特徴とした保冷具。
【発明の詳細な説明】
【技術分野】
【０００１】
本発明は、人の首部を冷却する保冷具に関する。
【背景技術】
【０００２】
暑気から体を守るため保冷剤の冷却効果を利用した首部に巻く保冷具の先行するアイデアはいくつかあるが、特許文献１によるものは保冷袋に保冷剤を円柱状に配置して冷凍させ、首部側にスリットを持たせた金属蒸着シートに円柱形の保冷剤を挿入し使用する。断熱性をあげることで保冷時間を維持するもので構造が複雑である。
【０００３】
特許文献２による保冷剤を内部に収める首部の保冷具は、Ｃ字型芯材で首の周りを巻く形を形成し、横にある隙間から首周囲方向の収納部に保冷剤を出し入れする方法は容易ではないし、保冷剤の大きさに制限が出てくる。
【先行技術文献】
【特許文献】
【０００４】
【特許文献１】特開２０１１−３８２１４号
【特許文献２】特開２０１３−１８００８４号
【発明の概要】
【発明が解決しようとする課題】
【０００５】
高温下での運動や作業において、冷凍・冷蔵商品の保冷のために付される保冷剤をネッカチーフなどにくるみ両端部を首前で結び、暑気対策を行っている。このやり方は保冷剤を交換することで連続して冷やすことができるので使用時間の制限はないが、ネッカチーフが緩んでずれること、保冷剤が動くこと、保冷剤の交換にその都度巻き直しをしなければならないことなど手間がかかる。
【０００６】
本発明の目的は、保冷時間を長く維持できるようにすることを一回の凍った保冷剤で行うより、簡単に保冷剤が交換できる構造にすることで装着を継続させて使用時間を伸ばせる保冷具を提供することにある。
【０００７】
もう一つの本発明の目的は、保冷具そのものが既に上市されている一般的な素材の布材、ニット材、パイル材、弾性繊維などを組み合わせることで製造しやすいものを提供することにある。                                                                
【０００８】
保冷剤がずれたり保冷具そのものがずれたりしないことや装着時の肌触りや密着させた時に違和感がないこと、保冷剤の入れ替えや首への装着に手間がかからないことが必要となる。
【課題を解決するための手段】
【０００９】
面ファスナーにより着脱できるベルト部材と、前記ベルト部材に取り付けられる複数個のポケットとを有し、前記ポケットの上部に保冷剤の挿入開口部を持つことを特徴とした首部に巻く保冷具を提供する。
【発明の効果】
【００１０】
市場に多く出回っている保冷剤を再利用することで保冷剤にコストをかけることなくクーラーボックスに別途交換用として必要個数を用意し、使用時間に制限のない首部の保冷具として熱中症の対策をすることができる。
【図面の簡単な説明】
【００１１】
【図１】一体型保冷具の姿図である
【図２】図１におけるＡ―Ａ断面図である。
【図３】分離型保冷具の分離した形の姿図である。
【図４】分離型保冷具を一体にした形の姿図である。
【図５】図４におけるＢ―Ｂ断面図である。
【発明を実施するための形態】
【００１２】
第一の形態は、本発明が首部に巻く保冷具の基本的な形状で、取り付けた時に保冷剤交換用のポケットが連なって複数個あり、それぞれのポケットの上側に開口部を持つことである。
【００１３】
第二の形態の保冷具（１０）は、図１に示すよう縫合の主体となる保冷具ベルト（１００）に着脱ができるようフック側面ファスナー（１０７）とループ側面ファスナー（１０８）を取り付け、前記保冷具ベルト（１００）にニットなどの伸縮性を持つ保冷剤保持ベルト（１０１）をポケット端部縫合部（１０３）とポケット分離縫合部（１０６）で縫合し、ポケットの上部に開口を設けることで保冷剤（１１１）の出し入れをする。
【００１４】
第三の形態の保冷具（１０）は、保冷具ベルト（１００）と伸縮性のある保冷剤ポケットベルト（１０９）とを保冷具ベルト付フック側面ファスナー（１１０）で分離でき、前記保冷剤ポケットベルト（１０９）はパイル生地やニットなどの伸縮性を持つ材料で、保冷剤（１１１）を出し入れする上部に開口を持つ保冷剤ポケット（１０２）を複数個有している。
【００１５】
縦長のポケットはポケット開口部（１０４）の幅より保冷剤（１１１）の挿入方向の深さ方向が深いことを示し、小さな保冷剤（１１１）は複数個入れることが可能である。
【００１６】
保冷具（１０）の保冷剤ポケット（１０２）を成すニット部分は、綿とポリウレタン、ナイロン、ポリエステル、ラテックスを選択的に混紡した伸縮、吸湿、肌触りの良い生地が上市されており、パイル生地としてもリストバンド等に利用される繊維を利用する。保冷具ベルト（１００）は伸縮性の必要はニットほどなく、既存の綿と化繊の混紡品やポリウレタンを主とする弾性繊維で良い。この組み合わせにより汚れた時でも洗濯することができるので清潔さが保てる。
【００１７】
保冷剤（１１１）は冷凍・冷蔵商品に付される流通品を再利用するので、比較的多く使われている５ｃｍ幅の保冷剤（１１１）の使用を基本に保冷剤保持ベルト（１０１）又は保冷剤ポケットベルト（１０９）を３〜５ポケットに区切り、保冷剤（１１１）にあった幅としてズレを防ぐ。
【００１８】
保冷具（１０）は、冷凍した保冷剤（１１１）が無くなった時でも保冷剤保持ベルト（１０１）又は保冷剤ポケットベルト（１０９）が綿と化繊の混紡品であるので保冷具（１０）自体が吸水可能あり、水があれば水分が気化する際の吸熱作用で首部の体熱上昇を抑えることが引き続きできる。
【００１９】
保冷具ベルト（１００）は、首への密着についてベルト部材に伸縮性のあるニットや弾性を持つ繊維を利用することで首の太さに合うよう伸ばし、長さを調節して面ファスナーで固定をする。
【００２０】
面ファスナーを利用して首部に固定するに当たって、フックが肌に当たらないようループ側面ファスナー（１０８）はフック側面ファスナー（１０７）より幅を広くして、フックが肌に当たる不快感を防ぐ。
【００２１】
図２は一体型の保冷具（１０）の断面を図示しており、保冷具ベルト（１００）と保冷剤保持ベルト（１０１）をポケット底部縫合部（１０５）で縫合して袋状となるよう上部にポケット開口部（１０４）を設け、保冷剤ポケット（１０２）を成すことにより保冷剤（１１１）を上部の開口より出し入れする。
【００２２】
図３は分離型の保冷具（１０）の分かれた状態の姿図で、保冷具ベルト（１００）と伸縮性のあるパイル生地でできた複数個の保冷剤ポケット（１０２）を持つ保冷剤ポケットベルト（１０９）で構成される。分離型の保冷具（１０）は保冷剤ポケット（１０２）の伸縮に自由度がとれ、ポケットのサイズより大き目の保冷剤（１１１）の出し入れも容易にすることができる。
【００２３】
図４は分離型の保冷具（１０）の使用状態を示す一体化した姿図で、保冷具ベルト（１００）に保冷具ベルト付フック側面ファスナー（１１０）が取り付けられており、パイル生地の保冷剤ポケットベルト（１０９）は面ファスナーのフックを利用して保冷具ベルト（１００）に取り付けられる。
【００２４】
図５が分離型の保冷具（１０）の保冷具ベルト付フック側面ファスナー（１１０）が保冷剤ポケットベルト（１０９）に取り付けられた状態の断面で、保冷剤ポケットベルト（１０９）の上部にポケット開口部（１０４）があり、下側の終端にはポケット底部縫合部（１０５）があることで袋形を成し、上部開口より保冷剤（１１１）を出し入れできる。
【００２５】
図１の保冷剤保持ベルト（１０１）のポケット分離縫合部（１０６）又は図３の保冷剤ポケットベルト（１０９）のポケット分離縫合部（１０６）において保冷剤ポケット（１０２）は、保冷剤（１１１）の横ズレを防ぐため一定の間隔となるように縫い合わせる。
【００２６】
本発明の保冷具は、保冷剤ポケット（１０２）を３ポケットから５ポケットと複数個のポケットにすることによって、首の細い人から首の太い人の首部サイズに合わせ、首筋に適切に保冷剤ポケット（１０２）が当たるようにする。
【実施例】
【００２７】
市場に流通する保冷剤（１１１）は、５ｃｍｘ６ｃｍ、５ｃｍｘ８ｃｍが多く、比較的大きなものでも７ｃｍｘ１１ｃｍであるので、図１又は図３に示す保冷剤ポケット（１０２）の幅は５ｃｍが適当である。
【００２８】
保冷剤保持ベルト（１０１）又は保冷剤ポケットベルト（１０９）を伸縮性のあるニットや弾性を持つ繊維で作ることにより、開口幅を超える７ｃｍｘ１１ｃｍの保冷剤（１１１）も保冷剤ポケット（１０２）が伸びることにより出し入れが可能である。
【００２９】
保冷剤保持ベルト（１０１）又は保冷剤ポケットベルト（１０９）は、首の太さに合わせて保冷剤ポケット（１０２）を複数個とし、ポケット数が３ポケットあれば首の太さ２７ｃｍ〜３５ｃｍ、４ポケットで３３ｃｍ〜４１ｃｍ、５ポケットで３９ｃｍ〜４７ｃｍと分けることで適切に首筋に保冷剤部が当たるサイズになる。
【００３０】
一体型保冷具又は分離型保冷具の保冷具ベルト（１００）の長さは、３ポケットで３３ｃｍ程度、４ポケットで３８ｃｍ程度、５ポケットで４３ｃｍ程度となり、保冷具ベルト（１００）に付けられるループ側面ファスナー（１０８）の長さを６ｃｍ程度とし、フック側面ファスナー（１０７）の長さを２ｃｍ程度とすることで、首の太さに合わせて面ファスナーを適切に固定することができる。
【００３１】
保冷具（１０）の高さは、保冷剤ポケット（１０２）を袋状として深さの有効寸法８ｃｍを確保し、市場で多く流通する５ｃｍｘ８ｃｍの保冷剤（１１１）が入るようにするが、本発明の保冷剤ポケット（１０２）の深さの有効寸法はこれに限らない。
【００３２】
首の太さについて小学校低学年の子供の首の太さは、細い方で２７ｃｍ程度でありこれを最小寸法として使用できるようにする。また保冷具ベルト（１００）の高さについては、５ｃｍ高程度のものでは男性の喉仏の上か下に寄ってしまい装着感が良くないので、喉仏を包む形の寸法として８ｃｍを超える方が良好であり成人男子の首の高さにも対応できるようにする。
【符号の説明】
【００３３】
１０  保冷具
１００  保冷具ベルト
１０１  保冷剤保持ベルト
１０２  保冷剤ポケット
１０３  ポケット端部縫合部
１０４  ポケット開口部
１０５  ポケット底部縫合部
１０６  ポケット分離縫合部
１０７  フック側面ファスナー
１０８  ループ側面ファスナー
１０９  保冷剤ポケットベルト 
１１０  保冷具ベルト付フック側面ファスナー 
１１１  保冷剤
【図１】
2020185235.tif 000003
【図２】
2020185235.tif 000004
【図３】
2020185235.tif 000005
【図４】
2020185235.tif 000006
【図５】
2020185235.tif 000007